(57)【要約】【課題】防耐火構造を備えていて、静かな室内空間を確保し住空間の拡大が図れて、防犯性に優れた、施工性の良い遮音間仕切り壁構造を提供すること。【解決手段】壁芯に沿った天井と床面にそれぞれ固定した上レ−ル２と下レ−ル３間に下地パネル１を立設し、隣接する前記下地パネル１の表面側を壁芯に沿って両外側方向に千鳥配置し、鋼板長辺の両端縁が断面略Ｚ字形に折曲形成され、前記鋼板の中心部が台形形状に窪み加工を施し、小波形状を有する前記下地パネル１のウェブ面１Ｂと、リップみぞ形鋼の形状を有する前記レ−ルのウェブ面に付着してなる突起板部２Ａ，３Ａが当接し、タッピンねじで１６係止されて、前記下地パネル１の裏面側には吸音材５Ｂを挿入し、前記下地パネル１ジョイント部には、遮音材５Ａを介在させて遮音間仕切り下地を構成し、前記下地パネル１の表面側にボ−ド４を小ねじで保持する遮音間仕切り壁構造。【選択図】図４
2010159560.tif 000002
【特許請求の範囲】
【請求項１】
壁芯に沿った天井と床面にそれぞれ固定した上レ−ルと下レ−ル間に下地パネルを立設し、隣接する前記下地パネルの表面側を壁芯に沿って両外側方向に千鳥配置してなる遮音間仕切り壁構造において、鋼板長辺の両端縁が断面略Ｚ字形に折曲形成され、前記鋼板の中心部が台形形状に窪み加工を施し、小波形状を有する前記下地パネルのウェブ面と、リップみぞ形鋼の形状を有する前記レ−ルのウェブ面に付着してなる突起板部が当接し、タッピンねじで係止して、前記下地パネルの裏面側には吸音材を挿入し、前記下地パネルジョイント部には、遮音材を介在させて遮音間仕切り下地を構成し、前記下地パネルの表面側にボ−ドを小ねじで保持することを特徴とする遮音間仕切り壁構造。
【請求項２】
前記下地パネルの裏面側、およびウェブ表面側に吸音材を挿入した請求項1に記載の遮音間仕切り壁構造。
【請求項３】
前記下地パネルの側面側と隣接する下地パネルのリップ間に、遮音材を二重に介在させ、前記下地パネルの裏面側に吸音材を挿入し、前記パネルが連結して遮音間仕切り下地が構成され、前記下地パネルの表面側にボ−ドを小ねじで保持することを特徴とする請求項1に記載の遮音間仕切り壁構造。
【請求項４】
前記下地パネルの裏面側、およびウェブ表面側に吸音材を挿入した請求項1又は３に記載の遮音間仕切り壁構造。
【発明の詳細な説明】
【技術分野】
【０００１】
本発明は、構築物、特に建築物の乾式戸境壁における遮音性、高剛性、防耐火性、防犯性および工期短縮に有用である下地パネルと、下地パネルを使用する遮音間仕切り壁構造に関するものである。
【背景技術】
【０００２】
従来、建築物の間仕切り壁の場合には、図８〜図９に概略示す方法で行われている。即ち、建物内部の天井及び床部に、断面コ字形状のランナを設置し、上ランナ１０，下ランナ１１間で、所定の位置に断面略Ｃ字形状の間柱（スタッド１２）を立設し、前記スタッド１２の両面に、ボ−ド４を小ねじで固定し、かかる軸組構造の間仕切り壁として、長年に亘って建築物等に広く用いられてきた。
【０００３】
一方、近年における建築物の高層化、超高層化になるにつれて、住空間を拡大するために壁厚を薄くして、軽量であることが望まれ、防火性、遮音性、変形追随性、面外曲げ剛性、および硬度のある間仕切り壁が開示されている（例えば、特許文献１参照）。
【０００４】
他方、近年凶悪犯罪が多数発生し、防犯の強化が望まれていて、剛性のある堅牢性、および経済性のある間仕切り開発が喫緊の課題である。現在の、セキュリティ−工法は、既存の軸組構造工法をベ−スに、図１０〜図１１に示すようにスタッド１２とボ−ド４の間に、現場で鋼板１５を挿入している。
【特許文献１】特開平８−７４３５８号公報
【発明の開示】
【発明が解決しようとする課題】
【０００５】
しかしながら、既存の軸組構造工法、現状でのセキュリティ−工法、および前記特許文献１に係わる間仕切り壁では、多様化する現代のニ−ズ（特にプライバシ−の保護）に応えているとは言い難い。
【０００６】
先ず既存の軸組構造工法の場合は、軸組構造工法の組立て手順として、図８〜図９に示す上ランナ１０、下ランナ１１間に、略Ｃ字形状スタッド１２を立設した後、スペ−サ１３及び振れ止め１４を固定するが、その取扱いが煩雑であるため施工効率を阻害する難点がある。また、スタット１２を挟んで隣室のボ−ド４と当室ボ−ド４が直接接触して一体化している関係上、隣室の壁の振動がスタッド１２を通じて当室に伝わるので、近年での、世間からの遮音の要求性能には不十分である。
【０００７】
そこで、特許文献１の場合のように、隣室の壁の振動がスタッドを通じて当室に伝わらないよう、スタッド１２を千鳥状に配置して直接の振動伝搬をなくし、遮音性能を向上させているが、従来の図８〜図９の軸組構造工法のため、施工効率が悪く、さらに、防犯性に難点がある。
【０００８】
次に、壁面のボ−ド４では激しい打撃に遭うと壁面に貫通穴が空くため、セキュリテイ−工法として、図１０〜図１１に示すように、在来の軸組構造工法での施工時に、鋼板１５が挿入されているが、鋼板１５を取付けるのに新たに運搬（小運搬を含む）、建設現場での鋼板置場の確保、取付等の工数が掛かり、工程及び経済性に問題がある。
【０００９】
すなわち、遮音性に優れ、衝撃に強くて堅牢性があり、防犯性があり、さらに、施工性と経済性に優れた間仕切り壁構造は、皆無であった。
【課題を解決するための手段】
【００１０】
上記課題を解決するための本発明に係わる遮音間仕切り壁構造は、壁芯に沿った天井と床面にそれぞれ固定した上レ−ルと下レ−ル間に下地パネルを立設し、隣接する前記下地パネルの表面側を壁芯に沿って両外側方向に千鳥に配置して、鋼板長辺の両端縁が断面略Ｚ字形に折曲形成され、前記鋼板の中心部が台形形状に窪み加工を施し、小波形状を有する前記下地パネルのウェブ面と、リップみぞ形鋼の形状を有する前記レ−ルのウェブ面に付着してなる突起板部が当接し、タッピンねじで係止して、前記下地パネルの裏面側、または前記パネルの裏面側とウェブ裏面側に吸音材を挿入し、前記下地パネルジョイント部には、遮音材を介在させて遮音間仕切り下地を構成し、前記下地パネルの表面側にボ−ドを小ねじ等で保持することを特徴とする。
上記において、前記下地パネルの側面側と隣接する下地パネルのリップ間に、遮音材を二重に介在させ、前記パネルが連結し遮音間仕切り下地が構成され、前記下地パネルの表面側にボ−ドを小ねじ等で保持することを特徴とする。
【発明の効果】
【００１１】
（Ａ）本発明に係わる遮音間仕切り壁構造によれば、従来の壁内部が中空部である軸組下地工法とは異なり、壁内部空間を壁芯に沿って遮音性能のある金属製下地パネルで全面に遮断する工法である。また、下地パネルの配置は千鳥にし、下地パネルのジョイント部には弾力性のある遮音材を介在させている。したがって、隣室ボ−ドから当室ボ−ドへ、直接に伝わる固体伝搬音が無く、遮音性能が極めて高い。
【００１２】
（Ｂ）本発明に係わる遮音間仕切り壁構造によれば、遮音性能を有する金属製下地パネルのジョイント部機構は、ボ−ド類を透過した透過音が、次のステップで、多孔質吸音材を透過して、エネルギ−の変化で減衰された音となり、さらに、遮音材で遮断し、多孔質吸音材で再度吸音される構造である。したがって、遮音壁システムとしての遮音性能が極めて高い。
【００１３】
（Ｃ）本発明に係わる遮音間仕切り壁構造によれば、間仕切り下地全体が、鋼板製の下地パネルで覆われている構造である。したがって、衝撃に強く堅牢性に優れ、かつ防犯性が高い。
【００１４】
（Ｄ）本発明に係わる遮音間仕切り壁構造によれば、下地パネルの断面は、面外剛性（間仕切り壁の壁面に対する水平方向の荷重に対する剛性）が有る形状である。したがって、間仕切り壁厚を薄くすることができる。
【００１５】
（Ｅ）本発明に係わる遮音間仕切り壁構造によれば、上レ−ルと下レ−ルの間に下地パネルのみを立設する工法である。したがって、従来技術に係わる軸組構造工法と異なり、スペ−サ、および振れ止めの取扱いの煩雑さが無くなり取付作業が極めて容易である。
【００１６】
（Ｆ）本発明に係わる遮音間仕切り壁構造によれば、下地パネルの断面形状は下地パネルの積み重ねを考慮して、折り曲げ箇所を直角でなくて鈍角に加工している。したがって、最小限の容積で済むので、梱包、および運搬等にムダがなく経済的である。
【００１７】
（Ｇ）すなわち、本発明特有の下地パネルを採用する本発明に係わる遮音間仕切り壁構造によれば、静かな室内空間を確保し、防犯性に優れ、防耐火構造を備え、住空間の拡大を提供し、かつ施工性、経済性に優れた工法で有るとともに、材質の選択により、例えば、下地パネルの材質を鉛にし、下地パネルのジョイント部に遮蔽材を使用することにより、病院のレントゲン室等の間仕切り壁にも適用できる工法である。
【発明を実施するための最良の形態】
【００１８】
以下、図１〜図１１に基づいて、本発明を実施するための最良の形態を説明する。
図１は本発明に係わる遮音間仕切り壁構造用の下地パネル一例を示す模式図、図２は図１のＡ−Ａ断面図である。図１〜図２に示すように下地パネル用として使用される本発明に係わる下地パネル１は、表面板１Ａ、ウェブ１Ｂ、側面板1Ｃ，リップ1Ｄ，およびフランジ１Ｅから構成されている。
【００１９】
更に詳しく、本発明に係わる遮音間仕切り壁構造用の下地パネルを構成する各部分を図１〜図２に基づいて説明する。前記下地パネル１は、鋼板の長辺両方向端部を図１〜図２に示すように、内向きに折曲げてから外向きにＺ状に折曲形成し製作するが、先ず表面板１Ａを裏面側へ側面板１Ｃを鈍角に折曲形成するとともに、両側部の側面板1Ｃの端縁を外方へ折曲げて、フランジ１Ｅを形成し、さらに、フランジ１Ｅを内方へＵ字状に折曲げて、リップ１Ｄを製作する。その際図１〜図２に示すように、ウェブ１Ｂは鋼板の中心部を台形形状の窪みにし、小波加工をする。なお、図１〜図２には、ウェブ１Ｂの形状として台形形状で小波加工のものを代表として示したが、本発明ではこれに限ることなく、窪みがなくても、また、窪み数が複数でも、窪み形状がいかなる形状のものであっても適用可能であれば構わない。例えば窪み形状としは、半楕円、歪んだ半円形、三角形、四角形、弓形等を挙げることができるし、また、リップ１Ｄは強度が十分に確保することが出来れば無くても構わないし、強度が不十分であれば、さらに、新たなリップを追加しても構わないし、遮音材との接触位置との関係でリップ１Ｄの角度を変えても構わない。下地パネル１のサイズは、厚さが５６〜１０６ｍｍ程度、幅が３０〜６０ｃｍ程度、長さが３〜6ｍ程度であり、下地パネル１の材質としては、溶融亜鉛めっき鋼板、溶融５５％アルミニウム−亜鉛合金めっき鋼板、鉛及びステンレス鋼等の金属材料で、０．６〜４．５ｍｍ程度の厚みが望ましいが、特に限定されるものではない。
【００２０】
[本発明に係わる遮音間仕切り壁構造で採用する下地パネル配設の第１の実施例]
図３は、下地パネル１を連続して組み立てを行う場合において、下地パネル１における表面板１Ａの方向を壁芯に沿って両外側方向の千鳥に配置し、隣接するパネル両端の側面板１Ｃ間に遮音材５Ａを挿入した、第１の実施例を示す斜視図であり、この例においては下レ−ル３，突起板３Ａ、タッピンねじ１６，下地パネル１，表面板１Ａ、ウェブ１Ｂ、側面板１Ｃ、ボ−ド材４、遮音材５Ａ、および吸音材５Ｂとから構成されている。
【００２１】
図４は、遮音間仕切り壁構造の施工例を示す模倣図であり、施工した下地パネル１を含む断面を上方から見た図であり、同じく、図５は遮音間仕切り壁構造の施工例を示す模倣図であり、施工した下地パネル１を含む断面を右方から見た図である。この例において各レ−ルは、コンクリ−ト釘８によって建築物の躯体上スラブ６の下には、上レ−ル２の開口部の向きを上にして固定し、躯体下スラブ７の上には、下レ−ル３の開口部の向きを下にして固定されている。前記上下レ−ル２、３間に、下地パネル１が図４〜図５に示すように壁芯９に沿って、表面板１Ａを外側方向に向けて立起状態で保持し、前記各レ−ルの突起板部２Ａおよび３Ａに、前記パネル１のウェブ１Ｂが当接し、タッピンねじ１６で係止してパネル１が固定されている。次に、前記下地パネル１の側面板１Ｃに遮音材５Ａを取付け、次の下地パネル１は、前記下地パネルと表面板１Ａの方向が反対、すなわち、千鳥状に立起保持し、前記パネル１の前記側面板１Ｃと側面板１Ｃ間で前記遮音材５Ａが圧縮状況で組み立てられ、前記下地パネル１と繋がるように、突起板部２Ａおよび３Ａと、ウェブ１Ｂで当接し、下地パネル１が固定され、その後、下地パネル１が繰り返し設置せれている。
【００２２】
次に、図３〜図５に示す請求項１の場合は、前記下地パネル１の裏面側に吸音材５Ｂが挿入されている。したがって、下地パネル１のジョイント部での遮音性能は、吸音材５Ｂを透過し減衰された音が、遮音材５Ａで遮断され、さらに、再度吸音材５Ｂで吸音される構造のため、遮音間仕切り壁構造の遮音効果を十分に確保することができる。
【００２３】
次いで、図３に示すように、前記下地パネル１の表面材１Ａの外方向に、ボ−ド材４を横向きにして小ねじで固定し、さらに、前記ボ−ド材４の外側にボ−ド材４を縦向きにして、ステ−ブルと糊で取り付けた遮音間仕切り壁構造が構築されている。
【００２４】
[本発明に係わる遮音間仕切り壁構造で採用する下地パネル配設の第２の実施例]
次に下地パネル１を連続して組み立てを行う場合の第２の実施例を説明する。図６は、下地パネル１におけるパネルのジョイント部で、遮音材５Ａが、側面板１Ｃとリップ１Ｄの間で二重に介在している第２の実施例を示す斜視図であり、この例においては下レ−ル３，突起板３Ａ、タッピンねじ１６、下地パネル１，表面板１Ａ、ウェブ１Ｂ、側面板１Ｃ、リップ１Ｄ、ボ−ド材４、遮音材５Ａ、および吸音材５Ｂとから構成されている。
【００２５】
図７は、遮音間仕切り壁構造の施工例を示す模倣図であり、施工した下地パネル１を含む断面を上方から見た図であり、同じく、図５は遮音間仕切り壁構造の施工例を示す模倣図であり、施工した下地パネル１を含む断面を右方から見た図である。この例において各レ−ルは、コンクリ−ト釘８によって建築物の躯体上スラブ６の下には、上レ−ル２の開口部の向きを上にして固定し、躯体下スラブ７の上には、下レ−ル３の開口部の向きを下にして固定されている。前記上下レ−ル２、３間に、下地パネル１が図５、および図７に示すように壁芯９に沿って、表面板１Ａを外側方向に向けて立起状態で保持し、前記各レ−ルの突起板部２Ａおよび３Ａに、前記パネル１のウェブ１Ｂが当接し、タッピンねじ１６で係止してパネル１が固定されている。次に、前記下地パネル（当初）１の側面板１Ｃに遮音材５Ａを取付け、さらに、次の側面板１Ｃにも遮音材５Ａが取付けられた次の下地パネル１を、前記下地パネルと表面板１Ａの方向が反対、すなわち千鳥状に立起保持し、前記下地パネル（当初）１の前記側面板１Ｃと前記下地パネル（次の）１のリップ１Ｄ、前記下地パネル（当初）１のリップ１Ｄと前記下地パネル（次の）１の前記側面板１Ｃ間で、前記遮音材５Ａが２列に圧縮状況で組み立てられ、前記下地パネル１と繋がるように、突起板部２Ａおよび３Ａと、ウェブ１Ｂで当接し、下地パネル１が固定され、その後、下地パネル１が繰り返し設置せれている。
【００２６】
次に、図５〜図７に示す請求項３の場合は、前記下地パネル１の裏面側に吸音材５Ｂが挿入されている。したがって、下地パネル１のジョイント部での遮音性能は、吸音材５Ｂで透過し減衰され、遮音材５Ａで遮断された音が、さらに、再度遮音材５Ａで遮断され、吸音材５Ｂで吸音される二重構造のため、遮音間仕切り壁構造の遮音効果を十分に確保することができる。
【００２７】
次いで、図６に示すように、前記下地パネル１の表面材１Ａの外方向に、ボ−ド材４を横向きにして小ねじで固定し、さらに、前記ボ−ド材４の外側にボ−ド材４を縦向きにして、ステ−ブルと糊で取り付けた遮音間仕切り壁構造が構築されている。
【００２８】
遮音材５Ａ、および吸音材５Ｂの材質に関しては特に限定されるものではなく、必要に応じて仕様を決めても構わない。例えば、遮音材５Ａは、高密度のグラスウ−ルやロックウ−ル、特殊スポンジゴム、および耐火遮音シ−リング材等。吸音材５Ｂは、グラスウ−ルおよびロックウ−ル等で、繊維材料での通気性の有る多孔質材料であれば密度や厚さを換えることは構わない。また、ボ−ド４に関しては、せっこうボ−ド、およびけい酸カルシウム板が一般的であるが特に限定はしていない。
【００２９】
以上説明したように本発明に係わる遮音間仕切り壁構造によれば、設計条件の要求に対し、下地パネルシステムとしてのバリエ−ションによる対応が可能であり、具体的には壁厚を薄くしたり、遮音性を高めたり、遮蔽性、および防犯性を高めることができる優れた工法である。
【図面の簡単な説明】
【００３０】
【図１】本発明に係わる遮音間仕切り壁構造において使用する下地パネルの一例を示す模式図である。
【図２】図１のＡ−Ａ断面図である。
【図３】下地パネル配設の第１の実施例を示す斜視図である。
【図４】第１の実施例の施工例を示す模式図であり、下地パネル上方から見た断面図である。
【図５】第１、および第２の実施例の施工例を示す模式図であり、下地パネル右方から見た図４、および図７のＡ−Ａ断面図である。
【図６】下地パネル配設の第２の実施例を示す斜視図である。
【図７】第２の実施例の施工例を示す模式図であり、下地パネル上方から見た断面図である。
【図８】従来技術に係わる軸組構造の間仕切り壁工法を示す縦断面図である。
【図９】従来技術に係わる軸組構造の間仕切り壁工法を示す横断面図である。
【図１０】従来技術に係わる軸組構造の間仕切り壁工法でのセキュリティ工法を示す縦断面図である。
【図１１】従来技術に係わる軸組構造の間仕切り壁工法でのセキュリティ工法を示す横断面図である。
【符号の説明】
【００３１】
１      下地パネル                  １Ａ    表面板
１Ｂ    ウェブ                      １Ｃ    側面板
１Ｄ    リップ                      １Ｅ    フランジ
２      上レ−ル                    ２Ａ    突起板    
３      下レ−ル                    ３Ａ    突起板
４      ボ−ド                      ５Ａ    遮音材Ａ
５Ｂ    吸音材Ｂ                    ６      上スラブ  
７      下スラブ                    ８      コンクリ−ト釘  
９      壁  芯                      １０    上ランナ  
１１    下ランナ                    １２    スタッド  
１３    スペ−サ                    １４    振れ止め    
１５    鋼  板                      １６    タッピンねじ
【図１】
2010159560.tif 000003
【図２】
2010159560.tif 000004
【図３】
2010159560.tif 000005
【図４】
2010159560.tif 000006
【図５】
2010159560.tif 000007
【図６】
2010159560.tif 000008
【図７】
2010159560.tif 000009
【図８】
2010159560.tif 000010
【図９】
2010159560.tif 000011
【図１０】
2010159560.tif 000012
【図１１】
2010159560.tif 000013